(57)【特許請求の範囲】
【請求項１】
基礎とその上部に構築される建物とを補強する建物の補強構造であって、
前記基礎の立ち上がり外側面の上縁部分に該基礎の長手方向に沿って全周に渡って貼り付けることにより該基礎を補強する帯状の高強度繊維シートを備え、
この高強度繊維シートを建物側にも貼り付けることにより、前記基礎と建物とを一体的に補強するように構成してなり、
前記基礎及び前記建物における二方向から直交する外側面によるコーナ部において、一方の外側面に沿って貼り付けた第１の高強度繊維シートと他方の外側面に沿って貼り付けた第２の高強度繊維シートとを交差させて重ね合わせるとともに、それぞれの端部をコーナ部から斜め上方に延設させて、前記基礎の立ち上がり外側面から前記建物の構造材外側面にかけて貼り付けるように構成したことを特徴とすることを特徴とする建物の補強構造。
【請求項２】
請求項１記載の建物の補強構造において、
前記基礎及び建物におけるコーナ部を構成する外側面に、前記基礎の立ち上がり外側面から建物の構造材外側面にかけて延設させて第３の高強度繊維シートを貼り付け、
第１の高強度繊維シートと第２の高強度繊維シートの斜め上方への延設させた端部近傍、第２の高強度繊維シートと第１の高強度繊維シートの斜め上方への延設させた端部近傍の重ね合わせ部に重ね合わせることにより、基礎と建物とを一体的に補強するように構成したことを特徴とすることを特徴とする建物の補強構造。
【請求項３】
請求項１または２に記載の建物の補強構造において、
前記帯状の高強度繊維シートは、基礎、建物に沿って水平方向に貼り付けられる部分と、斜め上方に延設させて貼り付けられる部分とを備え、この斜めに貼り付けられる部分を、水平方向に貼り付けられる部分と別体に構成するとともに、水平方向に貼り付けられる部分に重ね合わせて貼り付けられていることを特徴とする建物の補強構造。
【発明の詳細な説明】
【技術分野】
【０００１】
本発明は、例えばパネル工法、軸組み工法等による建物を、基礎を含めて一体的に補強することが可能な建物の補強構造に関する。
【背景技術】
【０００２】
近年、アラミド繊維シート等といった帯状の高強度繊維シートを木造建造物、鉄筋コンクリート構造物等に用いることにより耐震補強工法が注目を集めている。
例えば特許文献１には、高強度繊維をシート状に形成した繊維補強材を、木造建築部材同士の接合部分に貼り付けることにより、建築物の躯体、特に建物の本体部分を補強すること等が記載されている。
【０００３】
また、特許文献２には、住宅などの建物の基礎を補強するにあたって、布基礎等の基礎の外側面等にアラミド繊維等による帯状の高強度繊維シートを接着するようにした構造等が記載されている。
【先行技術文献】
【特許文献】
【０００４】
【特許文献１】特許３５８８０１５号公報
【特許文献２】特開２００８−１２１２３６号公報
【発明の概要】
【発明が解決しようとする課題】
【０００５】
しかし、上述した従来の補強構造では、建物である木造建築物の木造建築部材同士を接合させてなる躯体にシート状繊維補強材を巻き付けたりしたり、あるいは布基礎の側壁面に該布基礎の長手方向（水平方向）に沿って高強度繊維シート（シート状繊維補強材）を貼り付けたりすることにより、耐震補強を行っているだけであり、当該部位の補強はある程度行えるも、建物全体を効率良く補強し得るとは言えないものであった。
【０００６】
特に、上述した従来構造では、建物の躯体部分、あるいは布基礎の側面部分のみを、高強度繊維シートを接着することで個々に補強しているだけのものであり、建物を基礎から本体部分を含めて全体を一体的に耐震補強し得る何らかの対策を講じることが望まれている。
【０００７】
本発明はこのような事情に鑑みてなされたものであり、基礎とその上部に構築される建物とを一体的に補強し、建物全体の耐震強度を向上させることができる建物の補強構造を得ることを目的とする。
【課題を解決するための手段】
【０００８】
このような目的に応えるために本発明（請求項１記載の発明）に係る建物の補強構造は、基礎とその上部に構築される建物とを補強する建物の補強構造であって、前記基礎の立ち上がり外側面の上縁部分に該基礎の長手方向に沿って全周に渡って貼り付けることにより該基礎を補強する帯状の高強度繊維シートを備え、この高強度繊維シートを建物側にも貼り付けることにより、前記基礎と建物とを一体的に補強するように構成してなり、前記基礎及び前記建物における二方向から直交する外側面によるコーナ部において、基礎の立ち上がりの一方の外側面に沿って貼り付けた第１の高強度繊維シートと他方の外側面に沿って貼り付けた第２の高強度繊維シートとを交差させて重ね合わせるとともに、それぞれの端部をコーナ部から斜め上方に延設させて、前記基礎の立ち上がり外側面から前記建物の構造材外側面にかけて貼り付けるように構成したことを特徴とすることを特徴とする。
【００１１】
本発明（請求項２記載の発明）に係る建物の補強構造は、請求項１において、前記基礎及び建物におけるコーナ部を構成する外側面に、前記基礎の立ち上がり外側面から建物の構造材外側面にかけて延設させて第３の高強度繊維シートを貼り付け、第１の高強度繊維シートと第２の高強度繊維シートの斜め上方への延設させた端部近傍、第２の高強度繊維シートと第１の高強度繊維シートの斜め上方への延設させた端部近傍の重ね合わせ部に重ね合わせることにより、基礎と建物とを一体的に補強するように構成したことを特徴とする。
【００１２】
本発明（請求項３記載の発明）に係る建物の補強構造は、請求項１または２において、前記高強度繊維シートは、基礎、建物に沿って水平方向に貼り付けられる部分と、斜め上方に延設させて貼り付けられる部分とを備え、この斜めに貼り付けられる部分を、水平方向に貼り付けられる部分と別体に構成するとともに、水平方向に貼り付けられる部分に重ね合わせて貼り付けられていることを特徴とする。
【発明の効果】
【００１３】
以上説明したように本発明に係る建物の補強構造によれば、基礎とその上部に構築される建物（建物本体）とを、高強度繊維シートを一体的に貼り付けることにより一体的に補強するようにしているから、簡単な構成で、しかも簡単に施工できるにもかかわらず、基礎と建物とを一体的に補強することができる。
【００１４】
特に、本発明によれば、コーナ部において、基礎の立ち上がり外側面と建物の構造材外側面とに高強度繊維シートを、斜めに、交差させるように跨がらせて一体的に貼り付けるにより、建物全体、特に基礎と建物との間での水平方向のずれも防止することができる。
【図面の簡単な説明】
【００１５】
【図１】本発明に係る建物の補強構造の一実施例を示し、要部を拡大した概略斜視図である。
【図２】図１の建物の補強構造を示す要部側面図である。
【図３】図１、図２の建物の補強構造を示す要部断面図である。
【図４】本発明に係る建物の補強構造を適用して好適なパネル工法による建物を示す概略斜視図である。
【図５】本発明に係る建物の補強構造を適用する建物として軸組み工法による建物を示す概略斜視図である。
【発明を実施するための形態】
【００１６】
高強度繊維シートを、基礎の立ち上がり外側面に該基礎の長手方向に沿って貼り付けるとともに、該高強度繊維シートの端部を斜め上方に延設させることにより、基礎の立ち上がり外側面から建物の構造材外側面にかけて貼り付けるようにし、これにより基礎と建物とを一体的に耐震補強する。
【実施例１】
【００１７】
図１ないし図４は本発明に係る建物の補強構造の一実施例を示す。
これらの図において、全体を符号１で示す建物は、布基礎２とその上部に台輪３を介して構築されるパネル工法による建物本体４とから構成されている。
【００１８】
前記建物本体４は床パネル５と壁パネル６、さらに屋根パネル７等によって構成されている。なお、この建物本体４としては、従来から周知のパネル工法によるものとし、具体的な構成等は省略する。
【００１９】
本発明によれば、上述した構成による建物１において、図１ないし図３に示すように、布基礎２における立ち上がりの外側面に該布基礎２の長手方向に沿ってほぼ水平状態で全周にわたって貼り付けることにより該布基礎２を補強する帯状の高強度繊維シート１０，１１を備え、この高強度繊維シート１０，１１を前記建物本体４側にも貼り付けることにより、前記布基礎２と建物本体４とを一体的に補強するように構成している。
【００２０】
ここで、本実施例では、布基礎２の側壁面上縁部分に沿って貼り付けた高強度繊維シート１０，１１の一部、ここでは該シート１０，１１の端部１０ａ，１１ａを、斜め上方に延設させ、図１、図２に示すように、布基礎２の立ち上がり外側面とともに、建物本体４の構造材の外側面まで貼り付けている。
【００２１】
特に、この実施例では、上述した斜め延設端部１０ａ，１１ａを、建物１における二方向から直交する外側面によるコーナ部９において一方の外側面から他方の外側面に回り込ませる状態で設けている。すなわち、建物１の一方の外側面では、布基礎２の立ち上がり外側面の上縁部分に沿って水平方向に貼り付けた帯状の第１の高強度繊維シート１０の端部１０ａを、建物１の他方の外側面においてコーナ部９から斜め上方に曲げて延在させている。また、帯状の第２の高強度繊維シート１１は建物１の他方の外側面から一方の外側面にかけて回り込ませて設け、それぞれの高強度繊維シート１０，１１を交差させて重ね合わせて貼り付けている。
【００２２】
そして、このような構成とすれば、建物１を構成する布基礎２と建物本体４とを一体的に補強することができる。特に、上述した帯状の高強度繊維シート１０，１１等を建物１の各所に貼り付けて設けることにより、建物１の水平方向でのずれも防止することができ、建物１全体での耐震補強を一体的にかつ強固に行うことができる。
【００２３】
また、この実施例では、図１、図２に示すように、布基礎２及び建物本体４におけるコーナ部９を構成する外側面に、布基礎２の立ち上がり外側面から建物本体４の構造材外側面にかけて延設させて帯状の第３の高強度繊維シート１５，１６を貼り付け、第１の高強度繊維シート１０と第２の高強度繊維シート１１の斜め上方への延設させた斜め貼り付け端部１０ａ，１１ａの近傍で、第２の高強度繊維シート１１と第１の高強度繊維シート１０の斜め上方への延設させた端部１０ａ近傍の重ね合わせ部１７，１８に重ね合わせることにより、布基礎２と建物本体４とを一体的に補強するように構成している。
【００２４】
そして、このような構成を採ることにより、布基礎２と建物本体４とを、帯状の第３の高強度繊維シート１５，１６により一層強固に一体化して補強するとともに、水平方向のずれ等を防止することができる。
【００２７】
また、上述した帯状の高強度繊維シート１０，１１における水平貼り付け部と斜め貼り付け部とを別体に構成し、斜め貼り付け部となる高強度繊維シート１０ａ，１１ａを、水平貼り付け部となる部分に重ね合わせて貼り付けるように構成してもよい。
【００２８】
さらに、本発明は上述した実施例で説明した構造には限定されず、建物、基礎を初めとする各部の形状、構造等を適宜変形、変更し得ることはいうまでもない。
たとえば上述した実施例では、建物１としてパネル工法による建物本体４を用い、これに耐震補強を施す場合を説明したが、本発明はこれに限定されず、例えば、図５に示すように、建物１として木造建築物の軸組み工法による建物本体４に適用してもよい。
【００２９】
また、上述した実施例では、建物の基礎として布基礎２を例示したが、本発明はこれに限定されず、例えばべた基礎等であっても適用し得ることは容易に理解される。
【符号の説明】
【００３０】
１  建物
２  布基礎（基礎）
３  台輪
４  建物本体
５  床パネル
６  壁パネル
１０  第１の高強度繊維シート
１０ａ  斜め延設端部
１１  第２の高強度繊維シート
１１ａ  斜め延設端部
１５  第３の高強度繊維シート
１６  第３の高強度繊維シート
１７  重ね合わせ部
１８  重ね合わせ部
２０  建物本体を構成する軸組み部
【図１】
0005775832.tif 000002
【図２】
0005775832.tif 000003
【図３】
0005775832.tif 000004
【図４】
0005775832.tif 000005
【図５】
0005775832.tif 000006